(57)【要約】【課題】本発明は液晶装置におけるバックライト等に使用される光学シートにおいて輝度及び視野角を改善することを課題とする。【解決手段】本発明による光学シートは基板を形成する本体部の一面は平たい形状に提供されて、前記体部の他の面はプリズム形状の突出部を有し、前記突出部には多数のマイクロレンズパターンより成るエムボシング面が形成される。【選択図】図７
2007304564.tif 000002
【特許請求の範囲】
【請求項１】
本体部；
前記本体部上に配列される複数の突出部；及び
前記突出部上に複数個形成される凸部；が含まれて、
前記凸部はその端から中心に行くほどその厚さがより厚くなる形状で成り立つことを特徴とする光学シート。
【請求項２】
前記突出部は面と角で成り立って、  
前記凸部は前記突出部の面の上に形成されることを特徴とする請求項１に記載の光学シート。
【請求項３】
前記突出部は多数の面と前記面によって形成される角を有して、
前記突出部の角は前記凸部が前記突出部の面の上に形成されることによって屈曲されることを特徴とする請求項１に記載の光学シート。  
【請求項４】
前記凸部は前記突出部の上に不規則的に形成されることを特徴とする請求項１に記載の光学シート。
【請求項５】
前記突出部は前記本体部表面から所定角度に傾いた２以上の面を具備して、
前記凸部は前記突出部の面等の間に形成されることを特徴とする請求項１に記載の光学シート。  
【請求項６】
基板を形成する本体部の一面は平たい形状で提供されて、前記本体の他の面はプリズム形状の突出部を有して、前記突出部には多数のマイクロレンズパターンで成り立ったエムボシング面で成り立つ光学シート。
【請求項７】
前記突出部はその断面が三角形状であることで提供されて、  
前記エムボシング面は前記三角形上の任意の領域に不規則的に形成されることを特徴とする請求項６に記載の光学シート。  
【請求項８】
前記エムボシング面はその端から中心に行くほどその厚さが増加することを特徴とする請求項６に記載の光学シート。
【請求項９】
基板を形成する本体部及び前記本体部の一面にストライプ形態に配列される突出部等が具備されて、
前記突出部には複数の凸部等が形成されて、
前記本体部に流入された光は前記突出部または凸部によって集光、拡散及び内部反射が成り立って、
前記突出部または凸部によって内部反射した光は前記本体部の他面から再反射されて前記突出部または凸部によって集光または拡散されることを特徴とする光学シート。
【請求項１０】
前記凸部は前記突出部上で不規則的に形成されることを特徴とする請求項９に記載の光学シート。
【請求項１１】
前記凸部と突出部は一体に形成されることを特徴とする請求項９に記載の光学シート。
【請求項１２】
光が流入される本体部上に所定の傾斜面を有する突出部が形成されて、
前記突出部の表面には所定の厚さに突出された凸部または所定の厚さに陥没された凹部が具備されて、
前記凸部または凹部の個数によって光の集光効率が変更されることを特徴とする光学シート。  
【請求項１３】
前記凸部と凹部は前記突出部上で不規則的に配列されることを特徴とする請求項１２に記載の光学シート。
【請求項１４】
前記凸部と凹部は前記突出部と一体に形成されることを特徴とする請求項１２に記載の光学シート。
【請求項１５】
前記凸部は２００μｍ×２００μｍ大きさ内に５乃至２０個が具備されることを特徴とする請求項１２に記載の光学シート。  
【請求項１６】
光を発生させるランプ；
前記ランプによって発生された光を案内する導光板；及び
前記導光板の上側に配置されて、前記導光板から入射される光を拡散または集光させるための光学シート；が含まれて、
前記光学シートは本体部と、前記本体部に対して傾斜を有する複数の面で成り立った突出部と、前記突出部に形成された複数のマイクロレンズパターンで成り立つことを特徴とするバックライトアセンブリー。
【請求項１７】
前記突出部は２以上の面と、前記の面等によって形成される角で成り立って、
前記マイクロレンズパターンは前記の面の上に形成されることを特徴とする請求項１６に記載のバックライトアセンブリー。  
【請求項１８】
前記突出部の角は前記マイクロレンズパターンによって曲がった曲線で成り立つことを特徴とする請求項１６に記載の液晶表示装置のバックライトアセンブリー。
【請求項１９】
前記光学シートの突出部及びマイクロレンズパターンが前記導光板を向けるように前記光学シートが提供されることを特徴とする請求項１６に記載のバックライトアセンブリー。
【請求項２０】
光を発生させるランプ；
前記ランプによって発生された光を案内する導光板；  
前記導光板の上側に配置される拡散板；及び
前記拡散板の上側に配置される光学シート；が含まれて、  
前記光学シートは基板を形成する本体部と、前記本体部上に配列される複数の突出部と、前記突出部上に複数個形成される凸部で成り立つことを特徴とするバックライトアセンブリー。
【発明の詳細な説明】
【技術分野】
【０００１】
発明の背景
本発明は光学シートに関することとして、詳細に説明すると、光学的に輝度特性と視野角特性を向上させることができる光学シートに関することである。
【背景技術】
【０００２】
液晶表示装置は他のディスプレー素子とは違いＴＦＴ基板とカラーフィルターの間に注入された液晶物質が自体発光する発光性物質ではなく外部から入ってくる光の量を調節して画面に表示する受光性物質のため液晶表示パネルに光を照査するための別途の装置、すなわちバックライトアセンブリーが必ず必要になる。
【０００３】
バックライトアセンブリーは収納空間が形成されたモールドフレームと、収納空間の基底面に設置されて液晶表示パネル側に光を反射する反射シート、反射シートの上部面に設置されて光を案内する導光板、前記導光板と収納空間の側壁の間に設置されて光を発散するランプユニット、導光板の上部面に積層され光を拡散及び集光する光学シート等、モールドフレームの上部に設置されて液晶表示パネル端の所定位置からモールドフレームの側面に至る領域を覆うトップシャシで構成される。
【０００４】
ここで、光学シート等は光を拡散させる拡散シートと、前記拡散シートの上部面に積層され拡散された光を集光させ液晶表示パネルに伝達するプリズムシート及び前記拡散シートとプリズムシートを保護するための保護シートで構成される。
【０００５】
図１は従来の液晶表示装置の構成を示した断面図である。
【０００６】
図１を参照すれば、従来の液晶表示装置（６０）には光を発生させるバックライトアセンブリー（５０）と、前記バックライトアセンブリー（５０）の上側に具備されて、バックライトアセンブリー（５０）から光を供給されて映像を表示するディスプレーユニット（４０）が含まれる。
【０００７】
詳細に説明すると、前記バックライトアセンブリー（５０）には光を発生させるランプユニット（５１）と、前記ランプユニット（５１）によって発生された光を液晶表示パネル（１０）でガイドするための導光板ユニットが含まれる。
【０００８】
又は、前記ディスプレーユニット（４０）には前記液晶表示パネル（１０）と、液晶表示パネル（１０）の上側及び下側に位置される上側偏光板（３０）と、下側偏光板（２０）が含まれる。そして、前記液晶表示パネル（１０）は電極が形成されたＴＦＴ基板と、カラーフィルター基板（１１、１２）と、ＴＦＴ基板及びカラーフィルター基板（１１、１２）の間に注入された液晶層（未図示）で成り立つ。
【０００９】
詳細に説明すると、前記ランプユニット（５１）には光を発生させるランプ（５１ａ）と、前記ランプ（５１ａ）を覆うランプ反射板（５１ｂ）が含まれる。そして、前記ランプ（５１ａ）から発生された光は後述される導光板（５２）側に入射されて、ランプ反射板（５１ｂ）はランプ（５１ａ）から発生された光を導光板（５２）側に反射させることで、前記導光板（５２）に入射される光の量を増加させる役目を遂行する。
【００１０】
そして、導光ユニットには反射板（５４）と、導光板（５２）及び光学シート等（５３）が含まれて、前記導光板（５２）はランプユニット（５１）の一側に具備されて前記ランプユニット（５１）から光をガイドする役目を遂行する。  
そして、前記導光板（５２）の下部には導光板（５２）から漏洩した光を再び導光板（５２）側に反射するための反射板（５４）が具備される。
【００１１】
一方、前記導光板（５２）の上部には前記導光板（５２）によってガイドされた光の効率を向上させるための多数の光学シート（５３）が具備される。具体的に前記光学シートは拡散シート（５３ａ）、プリズムシート（５３ｂ）及び保護シート（５３ｃ）で成り立って、前記導光板（５２）の上部に順次に積層される。
【００１２】
詳細に説明すると、前記拡散シート（５３ａ）は前記導光板（５２）から入射される光を散乱して光の輝度分布を均等にする。
【００１３】
また、前記プリズムシート（５３ｂ）は上部面に三角柱模様のプリズムが反復的に形成されて、前記拡散シート（５３ａ）によって拡散された光を前記液晶表示パネル（１０）の平面に垂直にした方向に集光して、これによって、前記プリズムシート（５３ｂ）を通過する光の大部分は前記液晶表示パネル（１０）の平面に対して垂直に進行され均一な輝度分布を有する。
又は、前記プリズムシート（５３ｂ）の上部に提供される保護シート（５３ｃ）は前記プリズムシート（５３ｂ）の表面を保護する役目を遂行する。
【００１４】
図２及び図３は図１に図示されたプリズムシートの断面図及び写真で、図４は図１に図示された拡散シートの写真である。
【００１５】
図２乃至図４を参照すれば、従来のプリズムシート（１００）は導光板及び拡散シートによって拡散した光が最初流入される本体部（１１０）と、前記拡散した光が一定に進行されるようにする二等辺三角柱模様の突出部（１２０）で構成されて、前記突出部（１２０）は前記本体部（１１０）上からストライプ形態で線形に配列される。
【００１６】
そして、前記二等辺三角柱模様の突出部（１２０）は１０μｍから１００μｍのピッチ（pitch）を有して、三角柱の頂角（ａ）の角度が鋭角であればあるほど輝度が高くなる代わりに視野角は狭くなる特性を有する。
そして、図４に図示されたところのような拡散シートは前記導光板（５２）から入射される光を散乱して光の輝度分布を均一にして、このような光が前記プリズムシート（１００）に流入されるようにする。
【発明の開示】
【発明が解決しようとする課題】
【００１７】
一方、図２と図３に図示されたところのように、三角柱の模様の突出部（１２０）が正面を向けて設置される場合、すなわち、突出部が液晶表示パネルを向ける場合には本体部（１１０）を通じて流入される拡散した光が前方に屈折されて集められるようになるが、突出部の傾斜面に入射される光は内部の全反射によって前方の輝度向上に寄与することができないまま損失される問題点がある。
【課題を解決するための手段】
【００１８】
このような問題点を解決するために、前記プリズムシート（１００）の三角形状を二等辺形状で構成するとか前記プリズムシート（１００）の突出部が導光板を向けるようにプリズムシートを逆に配置することが提案されているが、これもまた輝度と視野角において全て望ましい結果を得ることは非常に難しい。
【発明の効果】
【００１９】
本発明による光学シートは本体部；前記本体部上に配列される複数の突出部；及び前記突出部上に複数個形成される凸部；が含まれて、前記凸部はその端から中心に行くほどその厚さがより厚くなる形状で成り立つ。
【００２０】
また、本発明による光学シートは基板を形成する本体部の一面は平たい形状で提供されて、前記本体の他の面はプリズム形状の突出部を有して、前記突出部には多数のマイクロレンズパターンで成り立ったエムボシング面で成り立つ。
また、本発明による光学シートは光が流入される本体部上に所定の傾斜面を有する突出部が形成されて、前記突出部の表面には所定の厚さに突出された凸部または所定の厚さ陥没された凹部が具備されて、前記凸部または凹部の個数によって光の集光効率が変更されることを特徴とする。
【００２１】
本発明による光学シートによって、視野角と輝度が大きく増加される長所がある。  
【実施例】
【００２２】
以下、添付された図面を参照して本発明による光学シートに対して詳細に説明する。  
図５及び図６は本発明の実施例による光学シートの写真で、図７は本発明の実施例による光学シートを示す斜視図で、図８は本発明の実施例による光学シートを示す平面図で、図９ａ及び図９ｂは本発明の実施例による光学シートの光学特性を説明するための図面である。
【００２３】
先ず、図５及び図６を参照すれば、本発明の実施例による光学シートの断面は従来のプリズムシートと類似の三角形状を有しながら前記三角形状の所定部位にエムボシング形状が形成されることを特徴とする。  
ここで、前記エムボシング形状は前記の三角形状の面から突出された形状を有する凸部で成り立つとか前記の三角形状の面に所定深く陥没形成される凹部で成り立つことができる。
【００２４】
一方、前記の三角形状の面から突出された形状を有する凸部の周囲は相対的に前記凸部より陥没されるように見えるようになるので、本発明による光学シートにはこのような凸部等が多く形成されていることが見られる。以下では、光学シートは本体部（または基板）と突出部で成り立って、前記突出部には複数の凸部等が形成されていることで説明することにする。
【００２５】
前記凸部は任意の領域に不規則的に形成されることを特徴としているが、所定の規則に合うように整列されることもできる。  
すなわち、従来のプリズムシートが本体部と突出部に形成されることに対して、本発明の実施例は光が最初に流入される本体部と、光が一定に進行されるようにする突出部と、前記突出部を通過した光の集光効率を向上させるための凸部が前記突出部の任意の面に形成されることで説明されることも可能である。
【００２６】
図７及び図８を参照して、本発明の実施例を詳細に説明すれば下記のようである。
【００２７】
本発明の実施例による光学シート（２００）には光が流入される本体部（substrate，２１０）と、前記本体部（２１０）の上部面に形成されて光が屈折／反射するようにする突出部（２２０）と、前記突出部（２２０）と一体に形成されて光の集光又は拡散効率を増加させるための凸部（２３０）が含まれる。
前記突出部（２２０）は前記本体部（２１０）の上でストライプ形態で複数個配列されて、前記突出部（２２０）の断面形状は全体的に三角形状を有しながら前記三角形状の一部分は凸部等によって歪むように形成される。
【００２８】
詳細に説明すると、前記本体部（２１０）の第１面には前記突出部（２２０）及び凸部（２３０）が形成されて、前記本体部（２１０）の第２面は平たく形成される。
そして、前記本体部（２１０）はポリエチレンテレフタルレート（PET）、ポリエチレンナフタルレート（PEN）、配向されたポリプロピレン、ポルリカルボネート、ポリアセテート等に製造されたプラスチックフィルムを含むが、これに局限されない。
【００２９】
例えば、ポリエステルフィルム例えばテトロン（Tetron）（商標名）フィルム、メリネックス（MELINEX）（商標名）フィルム等が基板として使われることができる。
又は、前記突出部（２２０）は一般的なプリズムシートの形状と類似して、その断面が三角形状に提供されることができるし、図面には図示されなかったが前記突出部（２２０）の断面が二等辺三角形状または所定の屈曲を有する三角形状を持つように前記突出部（２２０）が提供されることができる。
【００３０】
そして、前記突出部（２２０）は前記本体部（２１０）と等しい素材（material）として一体に形成されるとか透明な金属化合物または合成樹脂にコーティングされることができる。  
そして、前記突出部（２２０）の断面が三角形状を持つように前記突出部（２２０）が提供された場合に、前記突出部（２２０）は図７に図示されたところのように三角形状を成すための２個の面（２２１、２２２）を持ち、前記２個の面が接する領域には２次元の角（２２３）が形成される。  
【００３１】
ただ、前記突出部（２２０）は製造工程の条件によってその断面が多少歪んだ形態の三角形状で提供されることもでき、この場合前記突出部（２２０）を成す２個の面（２２１、２２２）又は多少歪んだ形状を有することができる。  
言い換えれば、前記突出部（２２０）は前記本体部（２１０）の表面と所定角度を持つように傾いた面（２２１、２２２）と、前記面（２２１、２２２）等により形成される角（２２３）を有することができる。
【００３２】
以下では前記凸部（２３０）に対して詳細に説明するために、前記突出部（２２０）が２個の面（２２１、２２２）を持ちながら、前記面等が接する領域には角（２２３）が形成されることを例で示すことにする。  
前記凸部（２３０）は前記突出部（２２０）の面（２２１、２２２）に形成されるとか前記角（２２３）領域に形成されることもできる。そして、前記凸部（２３０）が前記角（２２３）領域に形成される場合には、前記角（２２３）は多少屈曲された形状を有することになるはずである。
【００３３】
違う表現をするならば、前記突出部（２２０）はその断面が三角形状で成り立って、前記ボルロック部（２３０）は前記突出部（２２０）の任意の面で不規則的に複数個配列される。  
より詳細に説明すると、前記凸部（２３０）はその平面形状が円又は楕円の形状で提供されることができるし、前記凸部（２３０）はその端からその中心に行くほどその厚さが厚くなる形状で提供される。すなわち、前記突出部（２２０）には複数個のマイクロレンズパターン（２３０）が形成されることと類似している。
【００３４】
すなわち、前記凸部（２３０）はその名称のように、その端から中心に行くほどその厚さが厚くなるようにふくらんでいるように形成される。
そして、前記凸部（２３０）は前記突出部（２２０）を構成する所定の面（２２１、２２２）上に形成されるとか前記角（２２３）上に形成されることができる。
【００３５】
特に、前記凸部（２３０）が前記突出部（２２０）の角（２２３）上に形成される場合は第１凸部（２３１）に図示されているし、前記突出部（２２０）の面（２２１、２２２）に形成される場合は第２凸部（２３２）に図示されている。そして、前記凸部（２３０）が円の形状で提供された場合は第３凸部（２３３）に図示されている。
【００３６】
このように、前記凸部（２３０）の形状は多様に提供されることができるし、形成される位置も前記突出部（２２０）上に不規則的に配列されることができる。  
前記凸部（２３０）の形状とその形成位置の変形が多様に成り立つことができることは前記突出部（２２０）を通過した光は多様な方向にその移動経路が成り立って、前記凸部（２３０）もその形状と位置が多様に変更されても集光又は拡散効率を増加させることができる。
そして、前記凸部（２３０）が前記突出部（２２０）の角（２２３）領域の上に形成される場合に集光効率がより増加される。
【００３７】
前に説明した実施例では、前記凸部（２３０）が前記角（２２３）領域の上に形成されることで説明しているが、他の観点では前記凸部（２３０）は前記面（２２１、２２２）等が相互連結されるようにするための形状で提供される。すなわち、前記角（２２３）が形成される領域の位置に前記凸部（２３０）が形成されることによって前記の面（２２１、２２２）等が前記凸部（２３０）によって連結される。
【００３８】
他の観点による表現は、前記突出部（２２０）は前記本体部（２１０）表面から所定角度に傾いた２以上の面（２２１、２２２）を具備して、前記凸部（２３０）は前記突出部（２２０）の面等の間に介入形成される。
【００３９】
又、他の観点による表現は、前記突出部（２２０）が前記本体部（２１０）の上で三角形上で提供されながら、前記突出部（２２０）の一面がエムボシング（embossing）形状で成り立つのである。すなわち、前記凸部（２３０）と前記突出部（２２０）は一体に形成されて、前記突出部（２２０）の一面がふくらんでいる形状又はへこんでいる形状で成り立ったことでも表現されることができる。  
すなわち、本発明の多様な実施例では所定の厚さ突出形成された凸部（２３０）が前記突出部（２２０）表面に多数個具備されたことで図示されているが、所定の厚さ陥没形成された所定の凹部が前記突出部（２２０）表面に多数個形成されることができる。この場合、前記凹部によって光の拡散効率が増加されるはずである。
【００４０】
前記凸部（２３０）は所定の材質で成り立った凸レンズ等を前記突出部（２２０）表面に打ち込むことによって形成されることができるし、このために前記突出部（２２０）が硬化される前に前記のようなレンズ等の一部が前記突出部（２２０）内に挿入されるようにする。
【００４１】
この場合、前記凸部（２３０）を形成するために使われるレンズ等は前記突出部（２２０）と等しい材質で成り立つことができるし、前記レンズ等が前記突出部（２２０）の角（２２３）領域に打ち込まれるようにすることが望ましい。  
図８を参照して前記凸部（２３０）の望ましい形状に対して説明することにする。
【００４２】
図８は前記凸部（２３０）が形成された突出部（２２０）を平面で観察した図面で、任意の突出部（２３０）に対して望ましい横の長さ（または水平の長さ、Lh）と、垂直の長さ（Lv）に対してよく見てみることにする。
【００４３】
【表１】
2007304564.tif 000003
【００４４】
前記の表１は一枚の光学シート（２００）において、前記凸部（２３０）の垂直の長さ（Lv）と水平の長さ（Lh）をそれぞれ変更させながら、ヘイズ、透過率及び輝度上昇率をそれぞれ測定した値である。
【００４５】
そして、本発明によった光学シートの光学特性を測定するための実験に使われたシートは１７インチ液晶表示装置用バックライトアセンブリーで使われる場合サイズを選択し、２６インチ、３２インチ、４０インチにも適用可能なことは勿論である。  
先ず、シート１は水平の長さ（Lh）が３０μｍで、垂直の長さ（Lv）が４０μｍである場合である。そして、シート２は水平の長さ(Lh)が３５μｍで、垂直の長さ（Lv）が５０μｍである場合で、シート３は水平の長さ(Lh)が４０μｍで、垂直の長さ（Lv）が６０μｍである場合である。  
このような測定の結果、前記凸部（２３０）形状の大きさ（size）が大きくなるほどすなわち、水平の長さ又は垂直の長さが長くなるほどヘイズ及び透過率が上昇するようになって、輝度は多少減少するようになる。しかし、本発明での輝度上昇率は本発明の実施例による凹部が形成された光学シートにおける相対的な値であるだけで従来技術のプリズムシート又は拡散シートに比べてその輝度上昇率が落ちることを意味するのではない。  
そして、前記凸部（２３０）の形状の大きさが小さいほどヘイズ及び透過率は多少減少するが、輝度は増加するようになる。
【００４６】
【表２】
2007304564.tif 000004
【００４７】
前記の表２は本発明による凸部（２３０）の大きさによる視野角の特性を示す表である。
【００４８】
前記凸部（２３０）の垂直の長さ又は水平の長さが増加するによって水平視野角及び垂直視野角がもっと大きくなることが分かり、本発明の実施例による光学シートが使われる液晶表示装置の視野角を増加させるためにはシート１よりはシート３を使うのが望ましいはずである。  
【００４９】
図９ａを参照して本発明による光学シートの光学的特性をよく見れば、本発明の実施例による凸部（２３０）に入射される光は散乱され（scattering）、散乱された光は光学シート内に存在することができる欠陥（defect）を補完させる役目を遂行することができる。  
すなわち、光学シート内に所定の欠陥が存在する場合には、観察される光に所定の大きさのダークスポット（dark spot）が観察できるが、本発明による凹部を通じて光が散乱されることでそういうダークスポット現象が除去されることができる。  
【００５０】
そして、前記突出部（２２０）の表面すなわち、媒質間の境界面に流入される光中でその入射角が光の全反射が起きるようにする臨界角より大きい場合には全反射が起きて（すなわち、入射角が臨界角より大きい場合内部反射が起き）、入射角が臨界角より小さな場合には屈折されて前記突出部（２２０）を通過する。
【００５１】
図示されたところのように、入射角が臨界角より大きい場合の光（Ｂ２）は内部反射して再び本体部（２１０）側に屈折されて（Ｂ２’）、入射角が臨界角より小さな場合の光（Ｂ１、Ｂ３）は屈折されて前記突出部（２２０）を通過する（Ｂ１’、Ｂ３’）。
【００５２】
その次に図９ｂを参照すれば、前記突出部（２２０）の表面に入射される光の入射角が臨界角より小さな場合の光（Ｂ４）は屈折されて前記突出部（２２０）を通過する（Ｂ４’）。
【００５３】
そして、前記突出部（２２０）を通過する光（Ｂ５）の中でも前記突出部（２２０）に形成された凹部に入射される光（Ｂ５’）は前記凹部が有する形状によって散乱されることができる。  
すなわち、前記突出部（２２０）に凸部（２３０）を形成することで、光が内部反射して前記本体部（２１０）の多面に誘導されても前記突出部（２２０）又は凸部（２３０）によって集光又は拡散する効率がより増加するようになる。
【００５４】
図１０及び図１１は本発明の実施例による凹部のサイズによって示される光学的特性を説明するためのグラフである。そして、図１０及び図１１を通じて前記の表１及び表２に示された光学的特性を簡便に比較することができる。
【００５５】
視野角の側面では前記凸部（２３０）の大きさが大きいほどその特性が優秀なことを確認することができるし、すなわち、シート３（水平の長さ(Lh)が４０μｍで、垂直の長さ（Lv）が６０μｍである場合）がシート１及びシート２に比べて水平視野角及び垂直視野角で優秀な効果を示す。
【００５６】
図１２及び図１３は本発明の実施例による凸部がそれぞれ異なる密度に形成された光学シートを説明するための写真である。
【００５７】
図１２及び図１３は凹部が形成された光学シートの平面写真で、図１２に図示された光学シートより図１３に図示された光学シートの場合が凸部がよりたくさん形成されたことが図示される。
図１２及び図１３の写真には本発明による凸部の大きさが多少不規則的に成り立ったことが図示されているが、図１２及び図１３を通じて本発明による凹部と突出部の形状及び所定の面積内に具備される凹部の個数が異なるように配列されることができることを説明するためのものである。
【００５８】
そして、前記凸部（２３０）が前記光学シート（２００）の突出部（２２０）上に形成されることによって前記突出部（２２０）の角（２２３）がしなうことを確認することができる。
【００５９】
そして、先に説明した本発明による突出部及び凸部の形状に対して詳細に説明しましたが付け加えて説明すれば、図１２及び図１３に図示されたところのように凸部が形成されることによって前記突出部（２２０）を構成する角が屈曲される。  
本発明による凸部（２３０）が形成される個数によって示される光学的特性をよく調べるために、１７インチ液晶表示装置のバックライトアセンブリーの場合を使用し、前記凸部（２３０）の密度は２００μｍ×２００μｍ大きさのシートでの単位面積当たりの個数を示す。  
【００６０】
一方、前記凸部（２３０）が前記光学シート（２００）に形成される密度による光学的特性をよく調べてみる。
先の実験でのシート１に使われた凸部（すなわち、凸部の水平の長さ(Lh)が３０μｍで、垂直の長さ（Lv）が４０μｍである場合）等の密度を異にしてその光学的特性が変化されることを測定した結果をよく見る。
【００６１】
【表３】
2007304564.tif 000005
【００６２】
前記の表３は一枚のシートに形成された凸部の個数（又は密度）による光学的特性を示す表である。
前記の表３を参照すれば、前記凸部（２３０）が形成される個数が増加するほどヘイズ及び透過率は増加するが、輝度上昇率は徐々に低くなることが分かる。
【００６３】
詳細に説明すると、前記凸部（２３０）が形成される個数はシート当り５個が形成される場合には輝度上昇率が１．３１で最大で、この場合透過率は３８として最低になるので、本発明の実施例によって凸部を有する光学シートが適用されるバックライトアセンブリーの特性によって適切にその個数を調節することができるはずである。  
【００６４】
【表４】
2007304564.tif 000006
【００６５】
前記の表４は前記凸部の個数（又は密度）によって示される視野角特性を示す表である。
【００６６】
前記凸部（２３０）がシートの単位面積当たり形成される個数が増加するほど水平視野角及び垂直視野角が徐々に増加することを確認することができる。
そして、本実験の結果、２００μｍ×２００μｍの大きさのシートでの単位面積当たり前記凸部（２３０）の個数は１０個であると言える。ただ、このような望ましい実施例の提案によって本願発明の権利範囲が制限されるのではない。  
参照として、本発明の実施例による光学シートの光学的特性を測定した結果は相対的であり、従来の一般的なプリズムシートや拡散シートよりは優秀な結果を示す。
【００６７】
図１４は本発明の第１実施例による液晶表示装置のバックライトアセンブリーの構成を示す図面である。
図１４を参照すれば、本発明の実施例による液晶表示装置のバックライトアセンブリー（３００）には光を発生させるランプユニット（３４０）と、前記ランプユニット（３４０）によって発生された光を液晶表示パネル側にガイドする導光ユニットが含まれる。
【００６８】
本発明の実施例によるランプユニット（３４０）は光を発生させるランプ（３４１）と、前記ランプ（３４１）を覆うランプ反射板（３４２）で構成される。そして、前記ランプ（３４１）から発生される光は導光板（３２０）に入射される。
この時、前記ランプ反射板（３４２）は前記ランプ（３４１）から発生された光を前記導光板（３２０）側に反射させて、前記導光板（３２０）に入射される光の量を増加させる。
【００６９】
又は、本発明の実施例による導光ユニットには反射板（３３０）、導光板（３２０）及び光学シート（３１０）が含まれて、前記導光板（３２０）は前記ランプユニット（３４０）の一側に具備されて前記ランプユニット（３４０）から発生された光を液晶表示パネルに移動されることができるようにガイドする役目を遂行する。
そして、前記導光板（３２０）の下部には導光板から漏洩した光を再び前記導光板（３２０）で反射させる反射板（３３０）が具備される。
【００７０】
一方、前記導光板（３２０）の上側には前記導光板（３２０）によって移動される光の光学特性を向上させるための光学シート（３１０）が配置されて、本発明の実施例による光学シート（３１０）だけが図示されているが、拡散シート、プリズムシート又は保護シートがより具備されることができる。
【００７１】
ただ、本発明の実施例による光学シート（３１０）だけでも従来の拡散シートやプリズムシートの役目を充分に期待することができるので、単独で使われることによっても視野角と輝度の側面で優秀な効果を得ることができる。
【００７２】
図１５は本発明の第２実施例による液晶表示装置のバックライトアセンブリーの構成を示す図面である。
図１５を参照すれば、本発明による液晶表示装置のバックライトアセンブリー（４００）には光を発生させるランプユニット（４４０）と、前記ランプユニット（４４０）によって発生された光を液晶表示パネル側にガイドする拡散ユニットが含まれる。
【００７３】
そして、前記ランプユニット（４４０）には光を発生させるランプ（４４１）と、前記ランプ（４４１）を覆うランプ反射板（４４２）が含まれる。そして、前記ランプ（４４１）から発生される光は拡散板（４２０）に入射される。  
そして、前記ランプ反射板（４４２）は前記ランプ（４４１）から発生された光を拡散板（４２０）側で反射させて、前記拡散板（４２０）に入射される光の量を増加させる。
【００７４】
又は、前記の拡散ユニットには前記拡散板（４２０）と光学シート（４１０）が含まれる。そして、前記拡散板（４２０）は前記ランプユニット（４４０）の上側に配置されて、前記ランプユニット（４４０）から発生された光を拡散させて、液晶表示装置に移動されることができるようにガイドする役目を遂行する。
そして、前記ランプユニット（４４０）の上側に拡散板（４２０）が配置されるので、前記拡散板（４２０）から漏洩した光は前記ランプ反射板（４４２）によって再び拡散板（４２０）に誘導されることができる。
【００７５】
又は、前記拡散板（４２０）の上側には前記拡散板（４２０）によって移動される光の光学的効率を増加させるための光学シート（４１０）が配置されて、前記光学シート（４１０）は前に説明したところのように基底を形成する本体部と、前記本体部位に突出形成された突出部と、前記突出部の上に形成された凸部で成り立つ。
【００７６】
図１６は本発明の第３実施例による液晶表示装置のバックライトアセンブリーの構成を示す図面である。
【００７７】
図１６を参照すれば、本発明による液晶表示装置のバックライトアセンブリー（５００）には光を発生させるランプ（５４１）とランプ反射板（５４２）で構成されるランプユニット（５４０）と、前記ランプユニット（５４０）によって発生された光を液晶表示パネル側にガイドする導光ユニットが含まれる。  
そして、前記導光ユニットには反射板（５３０）、導光板（５２０）及び光学シート（５１０）が含まれることは前に説明したところのようです。  
ただ、本発明の実施例によって多様な形状を有する光学シート（５１０）の突出部及び凸部が前記導光板（５２０）を向けるように形成されることをその特徴とする。
【００７８】
すなわち、前記導光板（５２０）を通過した光が前記光学シート（５１０）の突出部及び凸部に先に流入されて、前記突出部及び凸部によって屈折された光が本体部に移動されるように前記光学シート（５１０）が提供される。  
図１６には１枚の光学シート（５１０）の突出部及び凸部が下に形成されていることで図示されているが、本発明の実施例による光学シート（５１０）等が２枚以上積層されて、前記光学シート（５１０）等の凸部及び突出部が全部前記導光板（５２０）を向けるように又は一部だけ下に位置されるように構成されることができる。  
【００７９】
図１７は本発明の実施例による光学シートを２以上積層して使う場合を説明するための図面で、図１８及び図１９は本発明の実施例による光学シートを１枚使った場合と２枚使った場合の光学的特性を従来のシートと比べたグラフである。
【００８０】
前に説明したところのように、積層使用されるそれぞれの光学シートは光が最初に流入される本体部と、前記本体部上に形成されてその断面がおおよそ三角形状である突出部と、前記突出部の任意の領域に形成されることができる凸部を有する。
【００８１】
そして、本発明の実施例による多数の光学シート（６０１、６０２、６０３）等が多数個使われることができる。  
図１７に図示されたところのように、本発明の第４実施例による液晶表示装置のバックライトアセンブリー（６００）には本発明の多様な実施例による光学シート等（６０１、６０２、６０３）が２以上積層され使われることができる。
【００８２】
液晶表示装置のバックライトアセンブリーに本発明の実施例による光学シートを１枚使った場合と２枚積層して使った場合を従来の拡散シートを３枚使った場合のバックライトアセンブリーとの光学的特性を比べれば下記のようである。
【００８３】
図１８及び図１９を参照すれば、液晶表示装置のバックライトアセンブリーに使われる光学シートを本発明の実施例によって実験に使われたシート１を１枚使った場合及び２枚使った場合を従来の拡散シート３枚を使った場合と比べて見る。
【００８４】
図１８に図示されたところのように水平視野角側面では、前記のシート１を１枚使う場合より２枚に積層して使う場合に水平視野角０0で輝度がおおよそ１０１２ｃｄ／ｍ2位増加するようになることを確認することができる。これは従来の拡散シート３枚を積層した場合より輝度が大きく増加されたのである。
【００８５】
そして、本発明の実施例による光学シート（シート１）を１枚使う場合にも、従来の拡散シートを３枚積層した場合よりその水平視野角がより広くなることを確認することができる。
【００８６】
図１８の実験結果を示す表は下記のようである。
【００８７】
【表５】
2007304564.tif 000007
【００８８】
【表６】
2007304564.tif 000008
【００８９】
前記の表５は本発明の実施例による光学シートを積層して使う場合の輝度上昇率を説明するための表で、表６は本発明の実施例による光学シートを積層して使う場合の視野角を説明するための表である。
【００９０】
本発明の実施例によるシート１を１枚使う場合は従来の拡散シート３枚を積層した場合と等しい値である１．２８の輝度上昇率を有して、前記のシート１を２枚積層した場合は１．４０で一番高い輝度上昇率を示す。
【００９１】
ただ、本発明の実施例に使われたシート１を２枚積層して使う場合にはその輝度特性が大きく増加するようになるが、水平視野角の観点では１枚使う場合より小くなるが、本発明の実施例による光学シートが適用されるバックライトアセンブリーの特性によって自由にその適用の変化を与えることができるはずである。
【００９２】
前に説明した水平視野角の側面のように、本発明の実施例に使われたシート１を２枚積層して使う場合に従来の拡散シート３枚を使った場合より輝度が大きく増加することを確認することができる。
【００９３】
そして、前記シート１を１枚使う場合にも従来の拡散シート３枚を積層して使う場合より輝度と視野角の側面から全部優秀な効果を得ることができる。
【００９４】
提案されるところのような光学シート及び前記光学シートが具備された液晶表示装置のバックライトアセンブリーによって、従来のプリズムシート及び拡散シートの役目を全て遂行することができるようになる長所がある。
【００９５】
又、視野角と輝度が大きく増加される長所がある。
【図面の簡単な説明】
【００９６】
【図１】従来の液晶表示装置の構成を示した断面図である。
【図２】図１に図示されたプリズムシートの断面図である。
【図３】図１に図示されたプリズムシートの写真である。
【図４】図１に図示された拡散シートの写真である。
【図５】本発明の実施例による光学シートの写真である。
【図６】本発明の実施例による光学シートの写真である。
【図７】本発明の実施例による光学シートを示す斜視図である。
【図８】本発明の実施例による光学シートを示す平面図である。
【図９ａ】本発明の実施例による光学シートの光学特性を説明するための図面である。
【図９ｂ】本発明の実施例による光学シートの光学特性を説明するための図面である。
【図１０】本発明の実施例による凸部のサイズによって示される光学的特性を説明するためのグラフである。
【図１１】本発明の実施例による凸部のサイズによって示される光学的特性を説明するためのグラフである。
【図１２】本発明の実施例による凸部がそれぞれ異なる密度に形成された光学シートを説明するための写真である。
【図１３】本発明の実施例による凸部がそれぞれ異なる密度に形成された光学シートを説明するための写真である。
【図１４】本発明の第１実施例による液晶表示装置のバックライトアセンブリーの構成を示す図面である。
【図１５】本発明の第２実施例による液晶表示装置のバックライトアセンブリーの構成を示す図面である。
【図１６】本発明の第３実施例による液晶表示装置のバックライトアセンブリーの構成を示す図面である。
【図１７】本発明の実施例による光学シートを２以上積層して使用する場合を説明するための図面である。
【図１８】本発明の実施例による光学シートを１枚使った場合と２枚使った場合の光学的特性を従来の拡散シートと比較したグラフである。
【図１９】本発明の実施例による光学シートを１枚使った場合と２枚使った場合の光学的特性を従来の拡散シートと比較したグラフである。
【図１】
2007304564.tif 000009
【図２】
2007304564.tif 000010
【図５】
2007304564.tif 000011
【図６】
2007304564.tif 000012
【図７】
2007304564.tif 000013
【図８】
2007304564.tif 000014
【図９ａ】
2007304564.tif 000015
【図９ｂ】
2007304564.tif 000016
【図１０】
2007304564.tif 000017
【図１１】
2007304564.tif 000018
【図１４】
2007304564.tif 000019
【図１５】
2007304564.tif 000020
【図１６】
2007304564.tif 000021
【図１７】
2007304564.tif 000022
【図１８】
2007304564.tif 000023
【図１９】
2007304564.tif 000024
【図３】
2007304564.tif 000025
【図４】
2007304564.tif 000026
【図１２】
2007304564.tif 000027
【図１３】
2007304564.tif 000028